(57)【要約】【課題】  アンテナ装置の変形が給電部に作用しても、給電部の軸方向と半径方向の変形を吸収し、給電部コンタクトへの負荷を軽減し、破損を防止するアンテナ装置を得る。【解決手段】  ２個のアンテナ素子２，３、上記両アンテナ素子間に介在して上記両アンテナ素子間を絶縁すると共に上記両アンテナ素子を接続保持する絶縁性パイプ１、一方の上記アンテナ素子に電気的に接続して固定され、挟持接触部５ｃを有する同軸コネクタ５、上記同軸コネクタの上記挟持接触部に中心導体６ａが軸方向にスライド自在に接触され、他方の上記アンテナ素子に外周縁部が電気的に接続され固定されたフランジ付コンタクト６を備え、上記フランジ付コンタクトのフランジ部は、一方の上記アンテナ素子が他方の上記アンテナ素子に対して半径方向に移動できるように弾性を有する。【選択図】図１
2006135658.tif 000002
【特許請求の範囲】
【請求項１】
２個のアンテナ素子、
上記両アンテナ素子間に介在して上記両アンテナ素子間を絶縁すると共に上記両アンテナ素子を接続保持する絶縁性パイプ、
一方の上記アンテナ素子に電気的に接続して固定され、挟持接触部を有する同軸コネクタ、
上記同軸コネクタの上記挟持接触部に中心導体が軸方向にスライド自在に接触され、他方の上記アンテナ素子に外周縁部が電気的に接続され固定されたフランジ付コンタクトを備え、上記フランジ付コンタクトのフランジ部は、一方の上記アンテナ素子が他方の上記アンテナ素子に対して半径方向に移動できるように弾性を有することを特徴とするアンテナ装置。
【請求項２】
２個のアンテナ素子、
上記両アンテナ素子間に絶縁板を介在させて上記両アンテナ素子間を絶縁すると共に、上記両アンテナ素子を接続保持する絶縁性パイプ、
一方の上記アンテナ素子に電気的に接続して固定され、挟持接触部を有する同軸コネクタ、
上記絶縁板の貫通孔を遊貫した中心導体が上記同軸コネクタの上記挟持接触部に軸方向にスライド自在に接触され、他方の上記アンテナ素子に外周縁部が電気的に接続され固定されたフランジ付コンタクトを備え、上記フランジ付コンタクトのフランジ部には、弾性を有するようにその円周方向にスリットを設けたことを特徴とするアンテナ装置。
【請求項３】
２個のアンテナ素子、
上記両アンテナ素子間に絶縁板を介在させて上記両アンテナ素子間を絶縁すると共に、上記両アンテナ素子を接続保持する絶縁性パイプ、
一方の上記アンテナ素子に電気的に接続して固定され、挟持接触部を有する同軸コネクタ、
上記絶縁板の貫通孔を遊貫した中心導体が上記同軸コネクタの上記挟持接触部に軸方向にスライド自在に接触され、上記中心導体が渦巻きバネを介して他方の上記アンテナ素子に電気的に接続された渦巻きバネ付コンタクトを備え、一方の上記アンテナ素子が他方の上記アンテナ素子に対して、軸方向と半径方向に移動できるようにしたことを特徴とするアンテナ装置。
【請求項４】
２個のアンテナ素子、
上記両アンテナ素子間に絶縁板を介在させて上記両アンテナ素子間を絶縁すると共に、上記両アンテナ素子を接続保持する絶縁性パイプ、
一方の上記アンテナ素子に電気的に接続して固定され、中央導体を有する同軸コネクタ、
上記絶縁板の貫通孔を貫通した上記中心導体が中央部を押圧して接触され他方の上記アンテナ素子に外周縁部が電気的に接続され固定された金属製プレートを備え、上記プレートには、弾性を有するようにその円周方向にスリットを設けたことを特徴とするアンテナ装置。
【請求項５】
２個のアンテナ素子、
上記両アンテナ素子間に絶縁板を介在させて上記両アンテナ素子間を絶縁すると共に、上記両アンテナ素子を接続保持する絶縁性パイプ、
一方の上記アンテナ素子に電気的に接続して固定され、中央導体を有する同軸コネクタ、
上記絶縁板の貫通孔を貫通した上記中心導体が中央部を金属製ボールを介して押圧して接触され他方の上記アンテナ素子に外周縁部が電気的に接続され固定された金属製プレートを備え、上記プレートには、弾性を有するようにその円周方向にスリットを設けたことを特徴とするアンテナ装置。
【請求項６】
２個のアンテナ素子、
上記両アンテナ素子間に絶縁板を介在させて上記両アンテナ素子間を絶縁すると共に、上記両アンテナ素子を接続保持する絶縁性パイプ、
一方の上記アンテナ素子に電気的に接続して固定され、中央導体を有する同軸コネクタ、
上記絶縁板の貫通孔を遊貫した上記中心導体が軸方向にスライド自在に接触される挟持接触部を有し、他方の上記アンテナ素子に外周縁部が電気的に接続され固定された金属製プレートを備え、上記金属製プレートには、弾性を有するようにその円周方向にスリットを設けたことを特徴とするアンテナ装置。
【発明の詳細な説明】
【技術分野】
【０００１】
この発明は、アンテナ装置に係わり、特にそのアンテナ給電部の構造に関するものである。
【背景技術】
【０００２】
従来のアンテナ装置は、互いに絶縁された２個のアンテナ素子を備え、一方のアンテナ素子に給電用同軸コネクタを設け、他方のアンテナ素子に上記同軸コネクタの中心導体を接続する挟持部（即ち、すり割り構造のソケット）を設け、上記挟持部で上記同軸コネクタの中心導体を軸方向にスライド自在に挟持している（特許文献１参照）。そのため、環境温度変化による同軸コネクタの中心導体の軸方向移動に対して、軸方向の変形を吸収することができた。また、アンテナ装置はレドームで保護されていたため、屋外設置時でも風荷重は作用せず、軸方向の変形を吸収できれば充分であった。
【０００３】
【特許文献１】特開平１１−１５４８１８号公報
【発明の開示】
【発明が解決しようとする課題】
【０００４】
電気性能を改善するため、レドームを設けないで、アンテナ装置を屋外に設置した場合、風荷重によるアンテナ装置の変形が給電部に作用して、軸方向と半径方向に給電部が変形する。しかし、従来のアンテナ装置の給電部は、軸方向のみの変形を吸収することは可能であったが、半径方向に変形すると破損し易い問題点があった。
この発明は、上記のような問題点を解消するためになされたもので、アンテナ装置の変形が給電部に作用しても、給電部の軸方向と半径方向の変形を吸収し、給電部コンタクトへの負荷を軽減し、破損を防止するアンテナ装置を得ることを目的とする。
【課題を解決するための手段】
【０００５】
この発明に係わるアンテナ装置は、２個のアンテナ素子、上記両アンテナ素子間に介在して上記両アンテナ素子間を絶縁すると共に上記両アンテナ素子を接続保持する絶縁性パイプ、一方の上記アンテナ素子に電気的に接続して固定され、挟持接触部を有する同軸コネクタ、上記同軸コネクタの上記挟持接触部に中心導体が軸方向にスライド自在に接触され、他方の上記アンテナ素子に外周縁部が電気的に接続され固定されたフランジ付コンタクトを備え、上記フランジ付コンタクトのフランジ部は、一方の上記アンテナ素子が他方の上記アンテナ素子に対して半径方向に移動できるように弾性を有するものである。
また、２個のアンテナ素子、上記両アンテナ素子間に絶縁板を介在させて上記両アンテナ素子間を絶縁すると共に、上記両アンテナ素子を接続保持する絶縁性パイプ、一方の上記アンテナ素子に電気的に接続して固定され、挟持接触部を有する同軸コネクタ、上記絶縁板の貫通孔を遊貫した中心導体が上記同軸コネクタの上記挟持接触部に軸方向にスライド自在に接触され、他方の上記アンテナ素子に外周縁部が電気的に接続され固定されたフランジ付コンタクトを備え、上記フランジ付コンタクトのフランジ部には、弾性を有するようにその円周方向にスリットを設けたものである。
【０００６】
また、２個のアンテナ素子、上記両アンテナ素子間に絶縁板を介在させて上記両アンテナ素子間を絶縁すると共に、上記両アンテナ素子を接続保持する絶縁性パイプ、一方の上記アンテナ素子に電気的に接続して固定され、挟持接触部を有する同軸コネクタ、上記絶縁板の貫通孔を遊貫した中心導体が上記同軸コネクタの上記挟持接触部に軸方向にスライド自在に接触され、上記中心導体が渦巻きバネを介して他方の上記アンテナ素子に電気的に接続された渦巻きバネ付コンタクトを備え、一方の上記アンテナ素子が他方の上記アンテナ素子に対して、軸方向と半径方向に移動できるようにしたものである。
また、２個のアンテナ素子、上記両アンテナ素子間に絶縁板を介在させて上記両アンテナ素子間を絶縁すると共に、上記両アンテナ素子を接続保持する絶縁性パイプ、一方の上記アンテナ素子に電気的に接続して固定され、中央導体を有する同軸コネクタ、上記絶縁板の貫通孔を貫通した上記中心導体が中央部を押圧して接触され他方の上記アンテナ素子に外周縁部が電気的に接続され固定された金属製プレートを備え、上記プレートには、弾性を有するようにその円周方向にスリットを設けたものである。
【０００７】
また、２個のアンテナ素子、上記両アンテナ素子間に絶縁板を介在させて上記両アンテナ素子間を絶縁すると共に、上記両アンテナ素子を接続保持する絶縁性パイプ、一方の上記アンテナ素子に電気的に接続して固定され、中央導体を有する同軸コネクタ、上記絶縁板の貫通孔を貫通した上記中心導体が中央部を金属製ボールを介して押圧して接触され他方の上記アンテナ素子に外周縁部が電気的に接続され固定された金属製プレートを備え、上記プレートには、弾性を有するようにその円周方向にスリットを設けたものである。
さらに、２個のアンテナ素子、上記両アンテナ素子間に絶縁板を介在させて上記両アンテナ素子間を絶縁すると共に、上記両アンテナ素子を接続保持する絶縁性パイプ、一方の上記アンテナ素子に電気的に接続して固定され、中央導体を有する同軸コネクタ、上記絶縁板の貫通孔を遊貫した上記中心導体が軸方向にスライド自在に接触される挟持接触部を有し、他方の上記アンテナ素子に外周縁部が電気的に接続され固定された金属製プレートを備え、上記金属製プレートには、弾性を有するようにその円周方向にスリットを設けたものである。
【発明の効果】
【０００８】
この発明のアンテナ装置によれば、アンテナ装置の変形が給電部に作用しても、給電部の軸方向と半径方向の変形を吸収し、給電部コンタクトへの負荷を軽減し、アンテナ装置の破損を防止できる。レドームを撤去したときの風荷重に対する対策が可能となる。
また、両アンテナ素子間の絶縁板には中央導体の棒径よりやや大きい孔を設け、この孔に中央導体が遊貫されているので、下部アンテナ素子に対するコンタクト又は上部アンテナ素子の半径方向移動を妨げることがない。
【発明を実施するための最良の形態】
【０００９】
実施の形態１．
図１（ａ）はこの発明の実施の形態１のアンテナ装置を示す正面図、図１（ｂ）はその要部である給電部２１の断面図、図１（ｃ）はフランジ付コンタクトのフランジ部の正面図である。図１において、絶縁性FRP（ガラス繊維強化プラスチック）パイプ１で、円筒状金属上部アンテナ素子２と円筒状金属下部アンテナ素子３が接続され固定保持されており、FRP絶縁板４が挟まれて両アンテナ素子２，３を絶縁している。すり割付同軸コネクタ５はその先端部５ａが下部アンテナ素子３のベース部３ａの中央孔に挿通され、そのストッパ部５ｂでベース部３ａに電気的に接続し固定されている。すり割付同軸コネクタ５は、その先端部５ａの軸方向中央に、フランジ付コンタクト６の中心導体６ａが挿通される挟持接触部５ｃが形成されている。
【００１０】
フランジ付コンタクト６は、棒状中央導体６ａにフランジ６ｂが固定されている。棒状中央導体６ａは、上部アンテナ素子２のベース部２ａと絶縁板４にそれぞれ設けられた、中央導体６ａの棒径よりやや大きい孔に遊貫されている。中央導体６ａの先端部は、すり割付同軸コネクタ５の挟持接触部５ｃに軸方向にスライド自在に摺動接触され挟持されている。フランジ付コンタクト６のフランジ６ｂは、図１（ｃ）のように、円板状で、円周
方向に複数条のスリット６ｃを設けて弾力性を富ませている。フランジ６ｂはその外周縁部が上部アンテナ素子２のベース部２ａに電気的に接続され固定されている。フランジ６ｂの中央部と上部アンテナ素子２のベース部２ａとの対向面は摩擦を軽減するために、空間が設けられている。
【００１１】
このように構成しているので、フランジ付コンタクト６は、中央導体６ａと挟持接触部５ｃで、すり割付同軸コネクタ５に対して軸方向にスライドできると共に、フランジ付コンタクト６又は上部アンテナ素子２は、スリット６ｃ付きフランジ部６ｂの弾力により、下部アンテナ素子３に対して半径方向に移動できる。このとき、中央導体６ａは、上部アンテナ素子２のベース部２ａと絶縁板４にそれぞれ設けられた、中央導体６ａの棒径よりやや大きい孔に遊貫されているので、下部アンテナ素子３に対するフランジ付コンタクト６又は上部アンテナ素子２の半径方向移動を妨げることがない。
【００１２】
アンテナ装置は、温度変化や風荷重を受けると、FRPパイプ１で、上部アンテナ素子２と下部アンテナ素子３が接続保持されているため、上部アンテナ素子２と下部アンテナ素子３で、変形が異なる。そのため、上部アンテナ素子２と下部アンテナ素子３の同軸コネクタ５とを電気的に接続しているフランジ付コンタクト６が変形することになるが、フランジ付コンタクト６のフランジ部６ｂにはスリット６ｃが設けられて弾性を富ませており、さらに、すり割付同軸コネクタ５の挟持接触部５ｃは、すり割になっており、フランジ付コンタクト６は、軸方向にスライドして摺動接触ことができるので、上部アンテナ素子２と下部アンテナ素子３の間の変形に合わせ、下部アンテナ素子３に対して、フランジ付コンタクト６が上下方向、半径方向に動くことができる。このため、フランジ付コンタクト６のすり割付同軸コネクタ５の挟持接触部５ｃに挿入される中央導体６ａの変形量が小さくでき、電気的接続、性能が維持されるとともに、構造的にも破損しにくくなる。
【００１３】
実施の形態２．
図２は実施の形態２における給電部の断面図である。図中、他の実施の形態と同一符号は同一又は相当部分を示し、以下同様とする。渦巻きバネ付コンタクト７は、棒状中央導体７ａとフランジ７ｂ間に渦巻きバネ７ｃを介在して両者が電気的に接続されている。棒状中央導体７ａは、絶縁板４に設けられた、中央導体７ａの棒径よりやや大きい孔に遊貫されている。中央導体７ａの先端部は、すり割付同軸コネクタ５の挟持接触部５ｃに軸方向にスライド自在に摺動接触され挟持されている。円板状フランジ７ｂは、その外周縁部が上部アンテナ素子２のベース部２ａに電気的に接続され固定されている。渦巻きバネ７ｃは上部アンテナ素子２のベース部２ａの貫通孔２ｂに収容されて、中央導体７ａとフランジ７ｂに電気的に接続されている。
【００１４】
このように構成することにより、渦巻きバネ付コンタクト７は、中央導体７ａにより軸方向に移動でき、渦巻きバネ７ｃの変形により、下部アンテナ素子３に対して軸方向、半径方向に移動できる。このため、渦巻きバネ付コンタクト７のすり割付同軸コネクタ５の挟持接触部５ｃに挿入される中央導体７ａの変形量が小さくでき、電気的接続、性能が維持されるとともに、構造的にも破損しにくくなる。
【００１５】
実施の形態３．
図３（ａ）は実施の形態３における給電部の断面図、図３（ｂ）は円板状金属製プレートの正面図である。である。同軸コネクタ８はその先端部８ａが下部アンテナ素子３のベース部３ａの中央孔に挿通され、そのストッパ部８ｂでベース部３ａに電気的に接続し固定されている。同軸コネクタ８はその先端部８ａに中央導体８ｃを有している。円板状金属製プレート９は、上部アンテナ素子２のベース部２ａの貫通孔２ｂを被い、プレート９の外周縁部がベース部２ａに電気的に接続され固定されている。プレート９は、その中央部９ａが中央導体８ｃで上方に少し押圧され、中央導体８ｃと電気的に接触している。プレート９は、円周方向にスリット９ｂを設け、弾力性を富ませている。
【００１６】
アンテナ装置は、温度変化や風荷重を受けると、上部アンテナ素子２と下部アンテナ素子３が変形するが、スリット９ｂを入れ弾性を富ませているプレート９は、中央導体８ｃで上方に押圧された初期状態を中心に軸方向に動く。また、半径方向は、同軸コネクタ８の中央導体８ｃの先端がスリット９ｂ入りプレート９の表面を滑ることで、電気的な接続、性能は維持される。
【００１７】
実施の形態４．
図４（ａ）は実施の形態４における給電部の断面図、図４（ｂ）は円板状金属製プレートの正面図、図４（ｃ）はプレートと中央導体との接触部の説明図である。実施の形態４は実施の形態３の変形例である。実施の形態３と相違する点を中心に説明する。プレート９は、その中央部９ａが中央導体８ｃで金属製ボール１０を介して上方に少し押圧され、中央導体８ｃと電気的に接触している。図４（ｃ）に示すように、中央導体８ｃの先端には、金属製ボール１０のボール受け８ｄを有している。そのため、プレート９は、その中央部９ａがボール１０を介して中央導体８ｃで上方に少し押圧され、中央導体８ｃと電気的に接触している。
【００１８】
アンテナ装置は、温度変化や風荷重を受けると、上部アンテナ素子２と下部アンテナ素子３が変形するが、スリット９ｂを入れ弾性を富ませているプレート９は、中央導体８ｃで上方に押圧された初期状態を中心に軸方向に動く。また、半径方向は、同軸コネクタ８の中央導体８ｃの先端がボール１０を介して滑らかにスリット９ｂ入りプレート９の表面を滑ることで、電気的な接続、性能は維持される。実施の形態３に比べ、半径方向の動きはボール１０が転がることで、より滑らかとなる。
【００１９】
実施の形態５．
図５（ａ）は実施の形態５における給電部の断面図、図５（ｂ）は円板状金属製プレートの正面図である。円板状金属製プレート１１は、中央部にすり割を有し、同軸コネクタ８の中央導体８ｃが挿通される挟持接触部１１ａを設けている。プレート１１は、上部アンテナ素子２のベース部２ａの貫通孔２ｂを被い、プレート１１の外周縁部がベース部２ａに電気的に接続され固定されている。プレート１１は、円周方向にスリット１１ｂを設けて弾性を富ませて、軸方向と半径方向にバネ性を有している。ている。中央導体８ｃの先端部は、プレート１１の挟持接触部１１ａに軸方向にスライド自在に摺動接触され挟持される。
【００２０】
アンテナ装置は、温度変化や風荷重を受けると、上部アンテナ素子２と下部アンテナ素子３が変形するが、同軸コネクタ８の中央導体８ｃがプレート１１の挟持接触部１１ａを軸方向に摺動することと、スリット１１ｂ入りプレート１１が軸方向と半径方向にバネ性
を有していることで、同軸コネクタ８の中央導体８ｃとスリット入りプレート１１は、電気的な接続、性能が維持される。
【図面の簡単な説明】
【００２１】
【図１】この発明の実施の形態１におけるアンテナ装置を示し、その（ａ）は正面図、その（ｂ）は給電部の断面図、その（ｃ）はフランジ部の正面図である。
【図２】実施の形態２における給電部の断面図である。
【図３】実施の形態３におけるアンテナ装置を示し、その（ａ）は給電部の断面図、その（ｂ）はプレートの正面図である。
【図４】実施の形態４におけるアンテナ装置を示し、その（ａ）は給電部の断面図、その（ｂ）はプレートの正面図、その（ｃ）はプレートと中央導体との接触部の説明図である。
【図５】実施の形態５におけるアンテナ装置を示し、その（ａ）は給電部の断面図、その（ｂ）はプレートの正面図である。
【符号の説明】
【００２２】
１  絶縁性パイプ                        ２  上部アンテナ素子
２ａ  ベース部                          ３  下部アンテナ素子
３ａ  ベース部                          ４  絶縁板
５  同軸コネクタ                        ５ａ  先端部
５ｂ  ストッパ部                        ５ｃ  挟持接触部
６  フランジ付コンタクト                ６ａ  中心導体
６ｂ  フランジ                          ６ｃ  スリット
７  渦巻きバネ付コンタクト              ７ａ  中央導体
７ｂ  フランジ                          ７ｃ  渦巻きバネ
８  同軸コネクタ                        ８ａ  先端部
８ｂ  ストッパ部                        ８ｃ  中央導体
８ｄ  ボール受け                        ９  プレート
９ａ  中央部                            ９ｂ  スリット
１０  ボール                            １１  プレート
１１ａ  挟持接触部                      １１ｂ  スリット
【図１】
2006135658.tif 000003
【図２】
2006135658.tif 000004
【図３】
2006135658.tif 000005
【図４】
2006135658.tif 000006
【図５】
2006135658.tif 000007